(57)【要約】      （修正有）【課題】連接された複数の個別包装体を折り畳んで重ねた状態で、互いに内容物の識別が可能な包装体を提供する。【解決手段】複数の個別包装体１ａ〜１ｃを連接してなり、それらの連結部１５Ａ、１５Ｂにおいて折り畳み可能に形成された包装体であって、各個別包装体には内容物を識別するためのタブ１４ａ〜１４ｃがそれらの周縁部より外側へ突出するように設けられ、タブは、複数の個別包装体を連結部において折りたたんで一の個別包装体に重ねた状態において、互いに完全に重ならないようにそれぞれの位置をずらして突出するように設けられている。【選択図】図１
0003212052.tif 000002
【実用新案登録請求の範囲】
【請求項１】
複数の個別包装体を連接してなり、それらの連結部において折り畳み可能に形成された包装体であって、各個別包装体には内容物を識別するためのタブがそれらの周縁部より外側へ突出するように設けられ、該タブは、複数の個別包装体を連結部において折りたたんで一の個別包装体に重ねた状態において、互いに完全に重ならないようにそれぞれの位置をずらして突出するように設けられていることを特徴とする包装体。
【請求項２】
前記タブの表裏両面に識別表示が付されたことを特徴とする請求項１に記載の包装体。
【請求項３】
前記タブの形状が互いに異なることを特徴とする請求項１または２に記載の包装体。
【請求項４】
前記個別包装体の連結部と対向する辺とは異なるいずれか一の辺に前記タブが設けられたことを特徴とする請求項１ないし３のいずれか１項に記載の包装体。
【請求項５】
前記個別包装体の連結部と対向する辺に前記タブが設けられたことを特徴とする請求項１ないし３のいずれか１項に記載の包装体。
【請求項６】
３つ以上の前記個別包装体が同一方向に連接されていることを特徴とする請求項１ないし４のいずれか１項に記載の包装体。
【考案の詳細な説明】
【技術分野】
【０００１】
本発明は、複数の個別包装体にそれぞれ異なる内容物を充填し、それらを連接してなる包装体に関する。
【背景技術】
【０００２】
従来、フィルム材質からなる袋状の包装体に化粧料等の内容物を１回の使い切りの量のみ充填し、試供品として提供することが広く行われている。特に、シャンプー、コンディショナー、トリートメントなどの異なる種類の内容物をそれぞれ異なる個別包装体に充填し、それらを切り離し可能に連接した上で提供することも一般的である。
【０００３】
これらの異なる種類の内容物を充填した複数の個別包装体は、内容物の違いの識別が必ずしも容易ではなく、間違えて開封・使用してしまう場合もあった。そこで、このような間違いを防ぐために、特許文献１には、内容物の違いを識別するための識別形状を包装体周縁部の溶着により成形したものが開示されている。また、特許文献２には、包装体の溶着周縁部の少なくとも一部に触覚識別部を設けたものが開示されている。
【０００４】
しかしながら、複数の連接された個別包装体は収納時にそれらの連結部で折り畳み、重ねた状態で収納することがあり、このように折り重ねた状態では前記のような識別表示も隠れて確認できなくなってしまうため、内容物を識別することが困難であった。
【先行技術文献】
【特許文献】
【０００５】
【特許文献１】特開２００４−０５１１１０
【特許文献２】特開平１０−１１４３４８
【考案の概要】
【考案が解決しようとする課題】
【０００６】
そこで本考案は、従来の包装体のかかる欠点を克服し、連接された複数の個別包装体を折り畳んで重ねた状態で、互いに内容物の識別が可能な包装体の提供をその課題とするものである。
【課題を解決するための手段】
【０００７】
本考案は、上記課題を解決するものであり、複数の個別包装体を連接してなり、それらの連結部において折り畳み可能に形成された包装体であって、各個別包装体には内容物を識別するためのタブがそれらの周縁部より外側へ突出するように設けられ、該タブは、複数の個別包装体を連結部において折りたたんで一の個別包装体に重ねた状態において、互いに完全に重ならないようにそれぞれの位置をずらして突出すように設けられていることを特徴とする包装体である。
【考案の効果】
【０００８】
本考案にかかる包装体は、内容物を識別するためのタブが包装体の周縁部から突出して形成されているとともに、複数の個別包装体を一の包装体に重ねた状態に折りたたんだ状態において互いに完全に重ならないようにそれぞれの位置をずらして突出すように設けられているため、収納時などの折りたたんだ状態においても各タブを視認し、内容物を識別することが可能である。
【図面の簡単な説明】
【０００９】
【図１】本考案の包装体の平面図
【図２】（ａ）本考案の包装体の折りたたむ過程における平面図、（ｂ）同包装体の折りたたんだ状態における平面図
【図３】（ａ）本考案の包装体の異なる実施態様の平面図、（ｂ）同包装体の折りたたんだ状態における平面図
【考案を実施するための形態】
【００１０】
以下、本考案の包装体の実施態様を、図面に基づいて具体的に説明する。なお、本考案はこれら実施態様に何ら制約されるものではない。
【００１１】
本考案の個別包装体１ａ、１ｂ、１ｃは、液体、粉体等の内容物を充填可能な袋状に形成されたフィルム材質からなり、その周縁部１１ａ、１１ｂ、１１ｃが溶着などの方法で密封され、該周縁部１１ａ、１１ｂ、１１ｃで囲われた領域が内容物を可能な収納部１２ａ、１２ｂ、１２ｃを形成する袋状となっている。個別包装体１ａ、１ｂ、１ｃは、後述のタブ１４ａ、１４ｂ、１４ｃ部分を除けば同一形状に形成されており、それらの連結部１５Ａ、１５Ｂで折りたたんだ時に、一の個別包装体に他の個別包装体が一致して重なるようになっている。
【００１２】
本実施態様の包装体は、個別包装体１ａ、１ｂ、１ｃが連結部１５Ａ、１５Ｂで互いに切り離し可能に３連に連接されている。なお、本実施態様では個別包装体が３連に設けられているが、連接される個別包装体の数は３つに限らず、２つ以上であればよい。また、本実施態様のように３つ以上の個別包装体が連接されている場合、同一方向に連接してもよいが、これを異なる２以上の方向に連接させてもよい。すなわち、本実施態様のように個別包装体１ａより同一方向（横方向）に連接するのではなく、例えば、真ん中の個別包装体１ｂに対し、個別包装体１ａはその左辺に連接し、個別包装体１ｃはその下辺に連接するなどして、複数の個別包装体を異なる二方向（横方向及び下方向）から連接するようにしてもよい。
【００１３】
本実施態様の包装体は、それぞれの個別包装体１ａ、１ｂ、１ｃの周縁部１１ａ、１１ｂ、１１ｃからタブ１４ａ、１４ｂ、１４ｃが外側へ突出するように形成されている。詳しくは、それぞれの上辺１３ａ、１３ｂ、１３ｃから、タブ１４ａ、１４ｂ、１４ｃが各々上方へ突出するように設けられている。これらのうち、タブ１４ａは上辺１３ａの左寄りに設けられ、タブ１４ｂは上辺１３ｂの中央に設けられ、さらに、タブ１４ｃは上辺１３ｃの右寄りに設けられている。かかるタブは、本実施態様のように連結部１５Ａ、Ｂと対向する辺とは異なるいずれか一の辺（本実施態様では上辺１３）に設けてもよいが、後述するように、連結部と対向する辺部に設けてもよい。
【００１４】
タブ１４ａ、１４ｂ、１４ｃは、個別包装体１ａ、１ｂ、１ｃをそれらの連結部１５Ａ、１５Ｂにおいて折りたたんだ状態において、互いに完全に重ならず、個別包装体を重ねた状態ですべてのタブ１４ａ、１４ｂ、１４ｃの少なくとも一部が視認可能な程度に位置がずれていればよい。さらに、すべてのタブ１４ａ、１４ｂ、１４ｃが互いに全く重ならないように設けても良いが、少なくともそれらの一部が互いに重なるように設けてもよく、それらの一部を互いに重なるように設けることにより、個別包装体を折りたたんだ状態において、それらの複数のタブの互いの位置関係（手前か奥か）が一目で理解できる。
【００１５】
タブ１４ａ、１４ｂ、１４ｃには、互いに識別が可能な表示が付されており、具体的には、内容物の種類を表す文字、図柄、色等の視覚識別表示、あるいは凹凸などの触覚識別表示が、個別包装体１ａ、１ｂ、１ｃのそれぞれの内容物に応じて付されている。なお、かかる識別表示はタブの表裏両面に付することが好ましい。
【００１６】
また、本実施態様のタブ１４ａ、１４ｂ、１４ｃは、いずれも同じ形状（円形）に形成されているが、かならずしもそれらの形状を同一とする必要はなく、例えば、タブ１４ａは円形、タブ１４ｂは菱形、タブ１４ｃは星形など、それぞれ異なる形状とすることにより互いに識別可能としてもよい。
【００１７】
本実施態様の包装体の折りたたみ方の具体例の一つは以下の通りである。まず、包装体１ａと包装体１ｂとの連結部１５Ａにおいて、個別包装体１ｂおよび１ｃを個別包装体１ａの裏側へと折り返し、個別包装体１ｂと個別包装体１ａとが重なるように配置する（図２ａ）。
【００１８】
次に、個別包装体１ｂと個別包装体１ｃとの連結部１５Ｂにおいて、個別包装体１ｃを個別包装体１ｂの裏側へと折り返し、個別包装体１ｂと個別包装体１ｃが個別包装体１ａの裏側に重なるように配置する（図２ｂ）。  
【００１９】
このように３連の個別包装体をそれらの連結部において蛇腹折りに重ねたときに、各個別包装体に設けられたタブ１４ａ、１４ｂ、１４ｃは、互いに完全に重ならないようにそれらの位置をずらして突出すように設けられているため、表側から見ると、左側にタブ１４ａ、中央にタブ１４ｂ、右側に１４ｃが配置される。このように、本考案の包装体は、折りたたんだ状態であってもそれらのタブ１４ａ、ｂ、ｃの表示を視認することができ、それらの内容物を識別することができる。
【００２０】
特に、本実施態様では、タブ１４ａ、１４ｂ、１４ｃは包装体を折りたたんだ状態で隣接するタブとそれらの一部が互いに重なるように設けられているため、互いの位置関係を一目で認識することができる。すなわち、本実施態様では、タブ１４ａが最も手前となり、タブ１４ａにその一部が隠れているタブ１４ｂがその奥に配置され、さらに、タブ１４ｂにその一部が隠れているタブ１４ｃが最も奥側に配置されていることが分かる。
【００２１】
また、本実施態様のタブ１４ａ、１４ｂ、１４ｃにはその表裏両面に識別表示が付されているため、包装体１ｂが裏返しの状態で包装体１ａの裏側に折り返されている状態であっても、そのタブ１４ｂの識別表示はタブ１４ａ、１４ｃのものと同様に表側より視認することができる。
【００２２】
図３（ａ）は、本考案の異なる実施態様の包装体である。本実施態様のものは、個別包装体１ｄ、１ｅが連結部１５Ｃにおいて２連に連接されている。そして、タブ１７ｄ、１７ｅは、個別包装体１ｄ、１ｅの連結部１５Ｃと対向する横辺１６ｄ、１６ｅよりそれぞれ横方向へ突出するように設けられている。これらのタブ１７ｄ、１７ｅは、互いに位置がずれて設けられており、具体的には、タブ１７ｄは横辺１６ｄの上寄りに設けられ、タブ１７ｅはタブ１７ｄよりもやや下寄りに設けられている。
【００２３】
図３（ｂ）は、本考案の異なる実施態様の包装体の折り畳み方の一例を示す。ここでは、個別包装体１ｅは連結部１５Ｃにおいて個別包装体１ｄの裏側へと折り返され、個別包装体１ｄの裏側に個別包装体１ｅが重ねられて配置されている。そして、このように折りたたまれた状態では、タブ１７ｄは手前の上側に配置され、タブ１７ｅは奥の下側に配置されており、折りたたまれた状態であっても内容物の識別が可能となっている。なお、個別包装体１ｅは折りたたみ時に裏返しの状態となるため、タブ１７ｅも表裏両面に識別表示を付すことが好ましい。
【００２４】
本考案の包装体はフィルム状の材質からなり、具体的には、内容物の種類によるが、ラミネートフィルムといわれる、一般に基材層と、その一面側に積層されるシーラント層から形成されるものが好ましい。ラミネートフィルムにする場合の基材層を構成する材料としては、公知のものを使用することができ、低密度ポリエチレン、中密度ポリエチレン、高密度ポリエチレン、直鎖状低密度ポリエチレン、ポリプロピレン、プロピレン・エチレン共重合体、プロピレン・α−オレフィン（炭素数４〜８）共重合体、プロピレン・α−オレフィン（炭素数４〜８）・エチレン共重合体、エチレン・酢酸ビニル共重合体、ポリアミド、ポリエチレンテレフタレート、ポリブチレンテレフタレート、ポリエチレンナフタレート、ポリビニルアルコール、エチレン・ビニルアルコール共重合体、ポリカーボネート、ポリスチレン、ポリアクリロニトリル共重合体、環状ポリオレフィン等の樹脂を利用することができる。また、必要に応じて、アルミニウム箔等の金属箔を併せて利用することができる。 
【００２５】
上記基材層は、上記樹脂材料の１種単独または２種以上を混合した材料をフィルム化したもの、またはこれらフィルムに金属やセラミックを蒸着したもの、更にこれらの樹脂フィルム、金属等蒸着樹脂フィルムおよび金属箔から選ばれる２種以上を積層したもので構成することができる。
【００２６】
本考案に用いる包装体において、上記基材層としてはポリエチレンテレフタレートや、ナイロン等ポリアミドのフィルム、それらと金属箔や上記各種蒸着フィルムを積層したラミネートフィルム、およびこれらフィルムやラミネートフィルムに、更に低密度ポリエチレン、中密度ポリエチレン、直鎖状低密度ポリエチレン、高密度ポリエチレン、ポリプロピレンなどのフィルムを積層したものが好ましい。 
【００２７】
本考案において、上記基材層には、更に必要に応じ種々の添加剤、例えば顔料、分散剤、酸化防止剤、脱酸素剤、紫外線吸収剤、光安定剤、無機充填剤等をフィルム中に添加することも、あるいはフィルムに塗着することもできる。
【００２８】
また、シーラント層は、低密度ポリエチレン、直鎖状低密度ポリエチレン、ポリプロピレン、プロピレン・エチレン共重合体、エチレン・オレフィン共重合体、エチレン・酢酸ビニル共重合体、エチレン・アクリル酸共重合体、エチレン・メタクリル酸共重合体、環状ポリオレフィン等から構成される一層又は二層以上のフィルムが挙げられる。上記シーラント層には、更に必要に応じ種々の添加剤、例えば顔料、分散剤、酸化防止剤、脱酸素剤、紫外線吸収剤、光安定剤、無機充填剤等を添加することもできる。
【００２９】
本考案の包装体を形成するラミネートフィルムの構成としては、上述の基材層に、上述のシーラント層を直接積層した２層構成であっても良いし、シーラント層と基材層との間に１層または２層以上の中間層を介在させた多層構成としても良い。なお、このような中間層としては特に制限はなく、ドライラミネーション用の接着剤にて接着層を形成しても良いが、溶剤を用いずとも確実な積層を実現する上で、上記シーラント層と上記基材層とを良好に接着させることが可能な接着性樹脂、例えばポリエチレン、ポリプロピレン、変性ポリオレフィン等や、アルミニウム等の金属箔により中間層を構成することもできる。
【００３０】
本考案の包装体の周縁部は、熱溶着などの公知の方法で密封すればよい。さらに、本考案の包装体の外装に関しては、収納部の表面には、商品名、ブランド名、メーカー名などを表す文字、図柄を表示することができ、また、収納部の裏面には、製造者表示、成分表示などの商品情報を表示することができる。
【００３１】
また、本考案の包装体の内容物としては特に限定されないが、化粧料が好ましく、具体的には、クリーム、乳液、化粧水、美容液、アイクリーム、リップクリーム、シート状マスク、シート状クレンジング、リムーバー、クレンジング、洗顔料等のスキンケア化粧料、シャンプー、コンディショナー、トリートメント、整髪料、染毛料、ヘアクリーム等の頭髪化粧料、ファンデーション、下地クリーム、コンシーラー、頬紅、アイカラー、リップグロス、リップカラー、リップオーバーコート、トップコート、マスカラ、アイブロウ、アイライナーなどのメイクアップ化粧料であってもよい。また、剤形としては、粘性液状化粧料、低粘性化粧料、粉末固型化粧料、油性固型化粧料、粉末状化粧料等が挙げられ、乳化型、非乳化型であってもよい。    
【符号の説明】
【００３２】
１ａ  …  …  個別包装体
１ｂ  …  …  個別包装体
１ｃ  …  …  個別包装体
１ｄ  …  …  個別包装体
１ｅ  …  …  個別包装体
１１ａ  …  …  周縁部
１１ｂ  …  …  周縁部
１１ｃ  …  …  周縁部
１２ａ  …  …  収納部
１２ｂ  …  …  収納部
１２ｃ  …  …  収納部
１３ａ  …  …  上辺
１３ｂ  …  …  上辺
１３ｃ  …  …  上辺
１４ａ  …  …  タブ
１４ｂ  …  …  タブ
１４ｃ  …  …  タブ
１５Ａ  …  …  連結部
１５Ｂ  …  …  連結部
１５Ｃ  …  …  連結部
１６ｄ  …  …  対向辺
１６ｅ  …  …  対向辺
１７ｄ  …  …  タブ
１７ｅ  …  …  タブ
【図１】
0003212052.tif 000003
【図２】
0003212052.tif 000004
【図３】
0003212052.tif 000005